(57)【要約】【課題】高調波歪みが低減されたトランスデューサを提供すること。【解決手段】ダイナミックトランスデューサ９は、フレーム１０と、エアギャップ１５に亘り磁界を作る磁石アセンブリ12,13,14と、音声ロール１７と、音声コイル１７をエアギャップ１５内に支持するコイルフォーマ１６と、外周部、頂部を有するダイヤフラム１８と、外周部をフレームから支持するため外周部とフレームとに連結された縁部材１９とを備える。スパイダ２０は、音声コイルをエアギャップ内に支持するためコイルフォーマと連結される。音声コイルを通って流れ、音声コイルをエアギャップ内で動かす電流が、ダイヤフラムを動かすように、コイルフォーマが頂部に連結される。スパイダは、コイルフォーマから半径方向外方向に渦巻き（20-3〜20-10）を有する。縁部材１９’は、外周部から半径方向外方向に渦巻きを有し得る。渦巻きは、先端を切る円弧を含む。【選択図】図３
2007104713.tif 000002
【特許請求の範囲】
【請求項１】
ダイナミックトランスデューサ（９）において、
エアギャップ（１５）に亘って磁界を提供する磁石アッセンブリ（１２、１３、１４）と、
音声コイル（１７）と、
前記音声コイル（１７）を前記エアギャップ（１５）内に支持するためのコイルフォーマー（１６）と、
ダイヤフラム（１８）とを備えており、
前記音声コイル（１７）を通って流れて前記音声コイル（１７）を前記エアギャップ（１５）内で動かす電流により、前記ダイヤフラム（１８）を動かすように、前記コイルフォーマー（１６）は前記ダイヤフラム（１８）に連結されており、
更に、前記音声コイル（１７）を前記エアギャップ（１５）内に支持するために前記コイルフォーマー（１６）と連結されたスパイダ（２０）を備え、該スパイダ（２０）は、前記コイルフォーマー（１６）から半径方向外方向に渦巻き（２０−１〜２０−１０）を有しており、
前記渦巻き（２０−１〜２０−１０）は、円弧と、先端を切断した円弧とを含んでいる、
ことを特徴とするダイナミックトランスデューサ。
【発明の詳細な説明】
【技術分野】
【０００１】
（発明の属する技術分野）
本発明はダイナミックトランスデューサ（ダイナミック変換器）に関する。ダ
イナミックトランスデューサを可動コイル拡声器に焦点を当てて開示しているが
、他の分野でも利用できると思われる。
【背景技術】
【０００２】
（発明の背景）
多種多様な懸架型式を有する多種多様な拡声器構造が知られている。例えば、
以下の米国特許第２，２０１，０５９号、第２，２９５，４８３号、第３，９３
０，１２９号、第４，１４６，７５６号、第５，７１５，３２４号、及び第５，
７２９，６１６号に説明され、記載されている拡声器がある。この例示は、従来
技術を網羅的に検索したとか、或いは上記以外には該当するものがないと表示す
る意図で挙げているのではなく、そのような意味に捉えられるべきではない。
【０００３】
拡声器（ラウドスピーカ）は、音声コイルと、ダイヤフラムと、音声コイル及
びダイヤフラム用の懸架要素を含む他の可動部品の、ほぼ線形の運動の範囲に明
確な制限がある。ダイヤフラムの変位が、モーター構造の形状によって決まる限
界、及び／又は懸架要素によって決まる物理的な限界まで拡大するにつれて、非
線形性は徐々に増大する。線形性または非線形性は、しばしば力と変位のグラフ
によって示される。実質的に線形な運動の最大値は、力対変位の関数又は曲線か
ら確認することができる。これが、一般的に力対変位曲線の「平坦」領域と呼ば
れるものである。拡声器は、この領域を越えて駆動される場合、入力電流を音声
に忠実には変換しない。この不正確さは、しばしば高調波歪みと呼ばれる。これ
までは、高調波歪みを低減するために、ロール高さ、即ち懸架スパイダ及びコー
ン周壁の渦巻きの深さを増やしてきた。しかし、ロール高さを増大することは「
オイルキャニング」即ち１つ又はそれ以上のロールの反転に繋がり、これは、反
転したロールが実質的にその設計された方位に復帰するとき、識別可能な「ポッ
プ」を発生する。更に、ロール高さを増すことは拡声器の可動機構の横方向の安
定性を低下させることになり、その結果、例えば、音声コイルがエアギャップ内
でサイドツーサイド運動をするようになる。
【発明の開示】
【課題を解決するための手段】
【０００４】
（発明の概要）
本発明のある態様によれば、ダイナミックトランスデューサ（ダイナミック変
換器：エレクトロダイナミック・トランスデューサ）は、フレームと、エアギャ
ップに亘って磁界を提供する磁石アッセンブリと、音声コイルと、音声コイルを
エアギャップ内で支持するためのコイルフォーマーと、外周部と頂部とを有する
ダイヤフラムと、外周部をフレームから支持するため外周部及びフレームと連結
されている縁部材とを含んでいる。コイルフォーマーは頂部に連結され、音声コ
イルを通って流れ音声コイルをエアギャップ内で動かす電流がダイヤフラムを動
かすようになっている。縁部材は、外周部から半径方向外方向へ、渦巻きを有し
ている。渦巻きは、先端を切った弧を含んでいる。
【０００５】
本発明のこの態様によるある実施例では、渦巻きは又、隣接する先端を切った
弧の間に伸張する概ね直線の部分も含んでいる。
本発明のこの態様による別の実施例では、先端切断の深さは、外周部からの距
離の増加に対し一様ではない。
本発明のこの態様による又別の実施例では、先端切断の深さは、外周部からの
距離の増加と共に増大する。
本発明のこの態様による又別の実施例では、先端切断の深さは、外周部からの
距離の増加に対し疑似ランダム的に変化する。
【０００６】
本発明の別の態様によれば、ダイナミックトランスデューサは、エアギャップ
に亘って磁界を提供する磁石アッセンブリと、音声コイルと、音声コイルをエア
ギャップ内に支持するためのコイルフォーマーと、頂部を有するダイヤフラムと
、音声コイルをエアギャップ内に支持するためにコイルフォーマーと連結されて
いるスパイダとを含んでいる。コイルフォーマーは頂部に連結され、音声コイル
を通って流れ音声コイルをエアギャップ内で動かす電流がダイヤフラムを動かす
ようになっている。スパイダは、コイルフォーマーから半径方向外方向へ、渦巻
きを有している。渦巻きは、先端を切った弧（アーク）を含んでいる。
【０００７】
本発明のこの態様によるある実施例では、渦巻きは又、隣接する先端を切った
弧の間に伸張する概ね直線の部分も含んでいる。
本発明のこの態様による別の実施例では、先端切断の深さは、コイルフォーマ
ーからの距離の増加に対し一様ではない。
本発明のこの態様による又別の実施例では、先端切断の深さは、コイルフォー
マーからの距離の増加と共に増大する。
本発明のこの態様による又別の実施例では、先端切断の深さは、コイルフォー
マーからの距離の増加に対し疑似ランダム的に変化する。
【０００８】
（好適な実施例の詳細な説明）
本発明を例示する添付図面を参照しながら以下の説明を読めば、本発明をよく
理解頂けるであろう。
図１〜図３に示すように、拡声器９は、支持フレーム１０と、モーターアッセ
ンブリとを含んでいる。図示のモーターアッセンブリは、バックプレート／セン
ターポール１２と、永久磁石１３と、フロントプレート１４とを含んでおり、エ
アギャップ１５に亘って実質的に均一な磁界を形成している。音声コイルフォー
マー１６は、音声コイル１７を磁界内に支持している。拡声器９により変換され
るプログラム材料に関係する増幅器４０からの電流は、音声コイル１７を駆動し
、既知の方法で、エアギャップ１５内で軸方向に往復運動を起こさせる。モータ
ーアッセンブリ１２、１３、１４の外側に配置されているコイルフォーマー１６
の端部に、頂部が取り付けられているコーン１８は、その外周部が、縁部材１９
によってフレーム１０と接続されている。スパイダ２０は、その外周部がフレー
ム１０に連結されている。スパイダ２０は、中央開口部２２を含んでおり、そこ
に音声コイルフォーマー１６が取り付けられている。縁部材１９及びスパイダ２
０を含む懸架装置は、音声コイル１７がエアギャップ１５内で軸方向に往復運動
するように拘束する。
【０００９】
決してこれだけというわけではないが、図１に、拡声器の端子２４、２５と音
声コイル線２６、２７との間を電気的に接続するための典型的な機構を示してい
る。音声コイル線２６、２７は、コイルフォーマー１６の側面に対して装着され
ており、中央開口部２２と、コイルフォーマー１６とコーン１８の頂部の交差部
とを通過する。次に線２６、２７は、コーン１８の面３２を横切ってコーン１８
の面上の点２８、２９まで装着され、そこで可撓性の導線３０、３１に接続され
る。接続２８、２９は、利用できる多くの技術の何れを使って行ってもよい。図
示の様に、コイル線２６、２７は、コーン１８の面３２に、非導電性接着剤によ
って固定されている。
【００１０】
スパイダ２０は、その内側渦巻き２０−１から外側渦巻き２０−１０まで回帰
的にテーパが付いている。コイルフォーマー１６に隣接して配置されている渦巻
き２０−１は、例えば、１．８ｍｍの半径を有する円弧である。渦巻き２０−２
から２０−１０は、例えば２ｍｍの半径を有する円弧である。しかし、渦巻き２
０−２から外側では、渦巻き２０は先端を切断した形になっている。つまり、渦
巻き２０−２から外側の各渦巻きの頂部には、多かれ少なかれ、平坦な頂部が形
成されている。コイルフォーマー１６の中心線からの半径が長くなるほど、平坦
部の幅が増える。図面では、渦巻き２０−３の頂部の平坦部の幅は０．５ｍｍで
ある。渦巻き２０−４の頂部の平坦部の幅は１．０ｍｍである。渦巻き２０−５
の頂部の平坦部の幅は１．５ｍｍである。渦巻き２０−６の頂部の平坦部の幅は
１．５ｍｍである。渦巻き２０−７の頂部の平坦部の幅は１．７５ｍｍである。
渦巻き２０−８の頂部の平坦部の幅は１．７５ｍｍである。渦巻き２０−９の頂
部の平坦部の幅は２．０ｍｍである。最後に、渦巻き２０−１０の頂部の平坦部
の幅は２．０ｍｍである。
【００１１】
本発明のスパイダ２０は、スパイダ２０がフレーム１０及び／又はモーターア
ッセンブリ１２、１３、１４と連結されているその外周部を平坦な外側脚部形状
として用いてもよいし、スパイダ２０がフレーム１０及び／又はモーターアッセ
ンブリ１２、１３、１４と連結されているその外周部を図示のコップ状外側脚部
形状として用いてもよい。本発明のスパイダ２０は、スパイダ２０の中央開口部
２２のコイルフォーマー１６への取り付けに、図示の「ネックダウン」取り付け
を用いてもよいし、或いは、スパイダ２０の中央開口部２２のコイルフォーマー
１６への取り付けに「ネックアップ」取り付けを用いてもよい。スパイダ２０の
コンプライアンスは、音声コイル１７がエアギャップ１５内で動く際の、スパイ
ダ２０の全変位範囲に亘ってより線形となっている。従って、非線形即ち高調波
歪みは減少する。
【００１２】
更に、図４に示すように、マルチロール拡声器コーン１８の縁部材１９’に、
回帰ロール又は回帰渦巻き形状を採用してもよい。
平坦部の幅は、コイルフォーマー１６の中心線からの半径が増すに連れて、或
いは、マルチロール縁部材１９’の場合には、コーン１８の外周部からの距離が
増すに連れて、他の様式で変化させてもよい。例えば、平坦部の幅は、コイルフ
ォーマー１６の中心線からの半径が長くなるに連れて、或いは、コーンの外周部
からの距離が長くなるに連れて、減少させてもよいし、平坦部の幅は、例えば疑
似ランダム的に、何か別の様式で変化させてもよい。
【図面の簡単な説明】
【００１３】
【図１】本発明により構成されている拡声器の断面図である。
【図２】概ね図１の切断線２−２における、図１に示す拡声器の細部の拡大図である。
【図３】概ね図２の切断線３−３における、図２に示す細部を更に拡大した断面図である。
【図４】本発明により構成されている別の拡声器の部分拡大断面図である。
【図１】
2007104713.tif 000003
【図２】
2007104713.tif 000004
【図３】
2007104713.tif 000005
【図４】
2007104713.tif 000006